(57)【要約】【課題】デジタル信号に対するノイズ低減効果が高く、断面形状を小さくすることができ、単位長さ当たりの重量あたりを軽減することができ、電子ユニットを小型化することができるトランジスタ入出力回路用ワイヤハーネスを提供する。【解決手段】デジタル信号を搬送する導体２ａを導体被覆材２ｂにより被覆した被覆電線２と、被覆電線２の外周部を被覆するよう形成した内側金属薄膜３と、内側金属薄膜３の外周部を被覆するよう形成した中間部合成樹脂被膜４と、中間部合成樹脂被膜４の外周部を被覆するよう形成した外側金属薄膜５と、外側金属薄膜５を被覆するケーブル被覆材６と、を備えた構成を有する。【選択図】図１
2016110936.tif 000002
【特許請求の範囲】
【請求項１】
デジタル信号を搬送する導体を導体被覆材により被覆した被覆電線と、
前記被覆電線の外周部を被覆するよう形成した内側金属薄膜と、
前記内側金属薄膜の外周部を被覆するよう形成した中間部合成樹脂被膜と、
前記中間部合成樹脂被膜の外周部を被覆するよう形成した外側金属薄膜と、
前記外側金属薄膜を被覆するケーブル被覆材と、を備えたことを特徴とするトランジスタ入出力回路用ワイヤハーネス。
【発明の詳細な説明】
【技術分野】
【０００１】
本発明は、トランジスタ入出力回路用ワイヤハーネスに関する。
【背景技術】
【０００２】
従来、複数本のシールド付被覆電線を束ねて、そのうちの一本をアース用電線に用いることによって信号ノイズを低減するようにしたワイヤハーネスが知られている（例えば、特許文献１参照）。
【０００３】
図２、図３に示すように、特許文献１に記載されたワイヤハーネス５１は、導体５２ａに被覆材５２ｂを被覆した被覆電線５２に、アルミ箔５３ａにポリエステルテープ５３ｂをラミネートしたアルミ箔ポリエステルラミネートテープ５３を、アルミ箔５３ａが露出するように被覆した複数本のシールド付被覆電線５４を有し、これらシールド付被覆電線５４を束ねたうえ、粘着テープ５５を巻き付けて相互に固定した構成を有している。
【０００４】
ワイヤハーネス５１は、上述のシールド付被覆電線５４のうちの一本のアルミ箔５３ａを、図示しないアース回路に電気的に接続してアース用電線５４Ａとして機能させ、他の複数本のシールド付被覆電線５４の導体５２ａを、図示しない機器に接続して信号用電線５４Ｂとして機能させている。
【０００５】
ワイヤハーネス５１は、シールド付被覆電線５４を束ねることで、アース用電線５４Ａのアルミ箔５３ａに信号用電線５４Ｂのアルミ箔５３ａを電気的に接続した状態になり、信号用電線５４Ｂの導体５２ａに対して静電シールド効果を発揮する。
【０００６】
また、上述のワイヤハーネス５１を、マイクロコンピュータと電子ユニットを接続するトランジスタ入出力用回路に用いる場合には、アルミ箔５３ａの静電シールド効果では、デジタル信号に重畳してノイズの原因となるリップル電圧を取り除くことができない。
【０００７】
このため、ワイヤハーネス５１の中間部に、例えば、コイルやフェライト等の図示しないノイズフィルタを取り付けることにより、上述したリップル電圧を取り除いてデジタル信号のノイズを低減する必要があった。
【０００８】
あるいは、ワイヤハーネス５１を接続する電子ユニットの基板に複数個のノイズ除去用コンデンサを設置して、上述したリップル電圧を電荷として蓄えることにより、デジタル信号のノイズを低減する必要があった。
【先行技術文献】
【特許文献】
【０００９】
【特許文献１】特開平０６−１２４６０８号公報
【発明の概要】
【発明が解決しようとする課題】
【００１０】
しかしながら、上述のワイヤハーネス５１は、シールド付被覆電線５４のうちの一本をアース用電線５４Ａとして機能させているため、断面形状が大きくなり、単位長さ当たりの重量が重くなるという問題があった。
【００１１】
また、トランジスタ入出力回路用としてワイヤハーネス５１の中間部にノイズフィルタを取り付けた場合は、断面形状がより大きくなるとともに、単位長さ当たりの重量もより重くなるという問題があった。
【００１２】
ワイヤハーネス５１を接続する電子ユニットの基板に複数個のノイズ除去用コンデンサを設置すると、電子ユニットが大型化するという問題があった。
【００１３】
本発明は、上述のような課題を解決するためになされたもので、デジタル信号に対するノイズ低減効果が高く、断面形状を小さくすることができ、単位長さ当たりの重量あたりを軽減することができ、電子ユニットを小型化することができるトランジスタ入出力回路用ワイヤハーネスを提供することを目的としている。
【課題を解決するための手段】
【００１４】
本発明に係るトランジスタ入出力回路用ワイヤハーネスは、上記目的達成のため、デジタル信号を搬送する導体を導体被覆材により被覆した被覆電線と、前記被覆電線の外周部を被覆するよう形成した内側金属薄膜と、前記内側金属薄膜の外周部を被覆するよう形成した中間部合成樹脂被膜と、前記中間部合成樹脂被膜の外周部を被覆するよう形成した外側金属薄膜と、前記外側金属薄膜を被覆するケーブル被覆材と、を備えた構成である。
【００１５】
本発明に係るトランジスタ入出力回路用ワイヤハーネスは、内側金属薄膜と外側金属薄膜とが中間部合成樹脂被膜により電気的に絶縁された状態で、被覆電線に同軸状に形成された構成であるので、マイクロコンピュータと電子ユニットとを接続しているトランジスタ入出力回路に用いる場合に、内側金属薄膜をマイクロコンピュータと電子ユニットとの間でプラス印加電圧用回路として接続するとともに、外側金属薄膜をマイクロコンピュータと電子ユニットとの間でマイナス印加電圧用回路として接続すると、誘電体である中間部合成樹脂被膜と中間部合成樹脂被膜により分離された内側金属薄膜および外側金属薄膜とがコンデンサとして機能する。
【００１６】
このため、本発明に係るトランジスタ入出力回路用ワイヤハーネスにおいては、導体により搬送されるデジタル信号に重畳してノイズの原因となるリップル電圧を、中間部合成樹脂被膜に電荷として蓄えることができ、デジタル信号のノイズを低減することができる。
【００１７】
本発明に係るトランジスタ入出力回路用ワイヤハーネスは、被覆電線の外周部に内側金属薄膜を形成し、内側金属薄膜の外周部に中間部合成樹脂被膜を形成し、中間部合成樹脂被膜の外周部に外側金属薄膜を形成した構成であるので、複数本のシールド付被覆電線のうちの一本をアース用電線として機能させる従来のワイヤハーネスに比べて、断面形状が小さくなり、単位長さ当たりの重量を軽くすることができる。
【００１８】
本発明に係るトランジスタ入出力回路用ワイヤハーネスは、内側金属薄膜と中間部合成樹脂被膜と外側金属薄膜とがコンデンサとして機能するので、従来、ワイヤハーネスの中間部に取り付けていたノイズフィルタを無くすことができ、さらに、電子ユニットの基板に設置するノイズ除去用コンデンサの個数や静電容量を減らして、電子ユニットを小型化することができる。
【発明の効果】
【００１９】
本発明によれば、デジタル信号に対するノイズ低減効果が高く、断面形状を小さくすることができ、単位長さ当たりの重量あたりを軽減することができ、電子ユニットを小型化することができるトランジスタ入出力回路用ワイヤハーネスを提供することができる。
【図面の簡単な説明】
【００２０】
【図１】本発明の実施の形態に係るトランジスタ入出力回路用ワイヤハーネスの製作工程の概略構成図であり、（ａ）は被覆電線の外周部に内側金属薄膜を形成した状態を示し、（ｂ）は内側金属薄膜の外周部に中間部合成樹脂被膜を形成した状態を示し、（ｃ）は中間部合成樹脂被膜の外周部に外側金属薄膜を形成した後に外側金属薄膜をケーブル被覆材により被覆したトランジスタ入出力回路用ワイヤハーネスの完成状態を示している。
【図２】従来のワイヤハーネスの縦断面である。
【図３】図２のＡ−Ａ断面図である。
【発明を実施するための形態】
【００２１】
以下、本発明の実施の形態に係るトランジスタ入出力回路用ワイヤハーネスについて、図面を参照して説明する。
【００２２】
図１に示すように、本発明の実施の形態に係るトランジスタ入出力回路用ワイヤハーネス１は、デジタル信号を搬送する導体２ａを導体被覆材２ｂにより被覆した被覆電線２と、被覆電線２の外周部を被覆するよう形成した内側金属薄膜３と、内側金属薄膜３の外周部を被覆するよう形成した中間部合成樹脂被膜４と、中間部合成樹脂被膜４の外周部を被覆するよう形成した外側金属薄膜５と、外側金属薄膜５を被覆するケーブル被覆材６と、を備えている。内側金属薄膜３、中間部合成樹脂被膜４、外側金属薄膜５およびケーブル被覆材６は、被覆電線２に同軸状に形成されている。
【００２３】
被覆電線２を構成する導体２ａは、例えば、アルミニウムや銅等の導電性に優れた金属により形成されている。また、被覆電線２を構成する導体被覆材２ｂは、ポリ塩化ビニルやポリエチレン等の電気的絶縁性に優れた合成樹脂により形成されている。
【００２４】
内側金属薄膜３は、例えば、アルミニウムや銅等の導電性に優れた金属よりなり、導体被覆材２ｂの外周部にスパッタリング法、または高周波イオンプレーティング法等の公知の手法により形成され、被覆電線２を周方向に取り囲んでいる。
【００２５】
中間部合成樹脂被膜４は、例えば、電気的絶縁性に優れ、静電容量が大きいポリエチレン等の合成樹脂よりなり、内側金属薄膜３の外周部に薄膜状に密着するよう形成され、内側金属薄膜３を周方向に取り囲んでいる。
【００２６】
外側金属薄膜５は、例えば、アルミニウムや銅等の導電性に優れた金属よりなり、中間部合成樹脂被膜４の外周部にスパッタリング法、または高周波イオンプレーティング法等の公知の手法により形成され、中間部合成樹脂被膜４を周方向に取り囲んでいる。
【００２７】
ケーブル被覆材６は、ポリ塩化ビニルやポリエチレン等の電気的絶縁性に優れた合成樹脂により形成され、外側金属薄膜５を周方向に取り囲んでいる。
【００２８】
本実施の形態に係るトランジスタ入出力回路用ワイヤハーネス１は、内側金属薄膜３と外側金属薄膜５とが中間部合成樹脂被膜４により電気的に絶縁された状態で、被覆電線２に同軸状に形成された構成であるので、マイクロコンピュータと電子ユニットとを接続しているトランジスタ入出力回路に用いる場合に、内側金属薄膜３をマイクロコンピュータと電子ユニットとの間でプラス印加電圧用回路として接続するとともに、外側金属薄膜５をマイクロコンピュータと電子ユニットとの間でマイナス印加電圧用回路として接続すると、誘電体である中間部合成樹脂被膜４と中間部合成樹脂被膜４により分離された内側金属薄膜３および外側金属薄膜５とがコンデンサとして機能する。
【００２９】
このため、本実施の形態に係るトランジスタ入出力回路用ワイヤハーネス１においては、導体２ａにより搬送されるデジタル信号に重畳してノイズの原因となるリップル電圧を、中間部合成樹脂被膜４に電荷として蓄えることができ、デジタル信号のノイズを低減することができる。
【００３０】
本実施の形態に係るトランジスタ入出力回路用ワイヤハーネス１は、被覆電線２の外周部に内側金属薄膜３を形成し、内側金属薄膜３の外周部に中間部合成樹脂被膜４を形成し、中間部合成樹脂被膜４の外周部に外側金属薄膜５を形成した構成であるので、複数本のシールド付被覆電線のうちの一本をアース用電線として機能させる従来のワイヤハーネスに比べて、断面形状が小さくなり、単位長さ当たりの重量を軽くすることができる。
【００３１】
本実施の形態に係るトランジスタ入出力回路用ワイヤハーネス１は、内側金属薄膜３と中間部合成樹脂被膜４と外側金属薄膜５とがコンデンサとして機能するので、従来、ワイヤハーネスの中間部に取り付けていたノイズフィルタを無くすことができ、さらに、電子ユニットの基板に設置するノイズ除去用コンデンサの個数や静電容量を減らして、電子ユニットを小型化することができる。
【００３２】
以上説明したように、本発明に係るトランジスタ入出力回路用ワイヤハーネスによれば、デジタル信号に対するノイズ低減効果が高く、断面形状を小さくすることができ、単位長さ当たりの重量あたりを軽減することができ、電子ユニットを小型化することができるトランジスタ入出力回路用ワイヤハーネスを提供することができるという効果を有し、トランジスタ入出力回路用ワイヤハーネス全般に有用である。
【符号の説明】
【００３３】
１  トランジスタ入出力回路用ワイヤハーネス
２  被覆電線
２ａ  導体
２ｂ  導体被覆材
３  内側金属薄膜
４  中間部合成樹脂被膜
５  外側金属薄膜
６  ケーブル被覆材
【図１】
2016110936.tif 000003
【図２】
2016110936.tif 000004
【図３】
2016110936.tif 000005